(57)【要約】【課題】  可動範囲を規制することができ作業性が良く、かつ追加加工で対応しやすいストッパー部材を提供すること。【解決手段】  操作部材３２はハウジング２１に保持された操作レバー部３２ａを有し、ストッパー部材６１の前記操作レバー部３２ａと当接する当接部６１ｒは、前記操作レバー部３２ａの所定位置以上の回動を阻止し、前記ストッパー部材６１は前記ハウジング２１の被係止部２１ｍと係合する係止部６１ｍ，６１ｎを有し、前記ストッパー部材６１をハウジング２１の装着部２１ｄに挿入することによって、前記装着部２１ｄを挟持する。【選択図】  図２
2007299605.tif 000002
【特許請求の範囲】
【請求項１】
ハウジングと操作部材とを備えた接続装置に用いられるストッパー部材において、
前記操作部材は、前記ハウジングに回動自在に保持された操作レバー部を有し、該操作レバー部を操作することによって前記接続装置が接続相手と接続するものであり、
前記ストッパー部材は、略コ字状に形成されている本体部と、前記操作レバー部と当接する当接部とを有し、
前記当接部は、前記操作レバー部の所定位置以上の回動を阻止し、
前記ハウジングは、被係止部を備えた装着部を有し、
前記ストッパー部材は、前記被係止部と係合する係止部を有し、
前記ストッパー部材を前記装着部に挿入することによって、前記本体部が前記装着部を挟持し、かつ前記ストッパー部材が前記ハウジングに着脱自在に保持されることを特徴とするストッパー部材。
【請求項２】
請求項１記載のストッパー部材を備えていることを特徴とする接続装置。
【請求項３】
請求項２の接続装置を備えていることを特徴とする検査治具。
【発明の詳細な説明】
【技術分野】
【０００１】
本発明は、ストッパー部材、接続装置及び検査治具に関し、特に、検査対象物の電気的特性を検査する検査装置に適したストッパー部材、接続装置、検査治具に関する。
【背景技術】
【０００２】
従来技術１としては、各種機器の操作を行う操作レバーの操作レバー機構がある。この操作レバー機構では、操作レバーに、その操作レバーの操作方向を示す表示を付して、操作方向を示す形状の貫通穴を操作レバーに形成している（例えば、特許文献１を参照）。
【０００３】
従来技術２としては、レバー部材の回動により雄コネクタを雌コネクタ側へ前進させて雌雄コネクタの嵌合を完結させたときに、レバー部材をロックバネにより再びフードにロックさせる電気コネクタが開示されている。（例えば、特許文献２を参照）。
【０００４】
【特許文献１】特開平７−３６３４７号公報
【特許文献２】特許第２５２５５０２号公報
【発明の開示】
【発明が解決しようとする課題】
【０００５】
特許文献１の操作レバーの操作レバー機構は、操作レバーの操作方向を示す表示を付して、操作方向を示す形状の貫通穴を操作レバーに形成しているので、貫通孔や位置合わせマークなどを形成しなければならず、形状が複雑かつ高い加工の精度が要求されるという問題がある。
【０００６】
また、特許文献２の電気コネクタは、レバー部材をロックバネによりフードにロックさせるように構成しなければならないので、レバー取り付けの追加加工が困難で、さらに形状が複雑かつ高い加工の精度が要求されるという問題がある。
【０００７】
また、一般に、開閉装置を有する検査治具における操作レバー部材は、ハウジングと一体で構成しているケースが圧倒的に多い。したがって、ハウジングの形状を変更しなければならないときには容易に対応できないという問題がある。
【０００８】
例えば、レバー機構では、レバー取り付けの追加加工が困難で、さらに形状が複雑かつ高い加工の精度が要求されるという問題がある。
【０００９】
そこで、本発明の課題は、可動範囲を規制することができ、作業性が良く、かつ追加加工で対応しやすいストッパー部材、接続装置及び検査治具を提供することにある。
【００１０】
また、本発明の課題は、仮固定の状態で輸送できるように十分に保持力を保つことができるストッパー部材、接続装置及び検査治具を提供することにある。
【課題を解決するための手段】
【００１１】
本発明によれば、ハウジングと操作部材とを備えた接続装置に用いられるストッパー部材において、前記操作部材は、前記ハウジングに回動自在に保持された操作レバー部を有し、該操作レバー部を操作することによって前記接続装置が接続相手と接続するものであり、前記ストッパー部材は、略コ字状に形成されている本体部と、前記操作レバー部と当接する当接部とを有し、前記当接部は、前記操作レバー部の所定位置以上の回動を阻止し、前記ハウジングは、被係止部を備えた装着部を有し、前記ストッパー部材は、前記被係止部と係合する係止部を有し、前記ストッパー部材を前記装着部に挿入することによって、前記本体部が前記装着部を挟持し、かつ前記ストッパー部材が前記ハウジングに着脱自在に保持されることを特徴とするストッパー部材が得られる。
【００１２】
また、本発明によれば、前記ストッパー部材を備えている接続装置、接続装置を備えている検査治具が得られる。
【発明の効果】
【００１３】
本発明によれば、ストッパー部材をハウジングの装着部に挟み込むように固定することで操作部材の操作レバー部の可動範囲を規制するためのストッパー機構となる。
【００１４】
また、ストッパー部材は、ネジ加工を要さない単純形状なので、十分な強度をもつものとなる。
【００１５】
また、ストッパー部材は、同様の厚さをもつハウジングであれば、ハウジングの形状を変更する場合でも容易に対応でき、用途によってハウジングに対して着脱が容易なストッパー部材となる。
【００１６】
さらに、ストッパー部材は、仮固定の状態でも十分な保持力をもち、固定した状態で輸送が可能になることで現場での組み立て作業性を簡略化することができるとともに、追加加工でストッパー部材を取り付ける場合に対応しやすいものとなる。
【発明を実施するための最良の形態】
【００１７】
本発明のストッパー部材は、ハウジングと操作部材とを備えた接続装置に用いられるストッパー部材において、前記操作部材は、前記ハウジングに回動自在に保持された操作レバー部を有し、該操作レバー部を操作することによって前記接続装置が接続相手と接続するものであり、前記ストッパー部材は、略コ字状に形成されている本体部と、前記操作レバー部と当接する当接部とを有し、前記当接部は、前記操作レバー部の所定位置以上の回動を阻止し、前記ハウジングは、被係止部を備えた装着部を有し、前記ストッパー部材は、前記被係止部と係合する係止部を有し、前記ストッパー部材を前記装着部に挿入することによって、前記本体部が前記装着部を挟持し、かつ前記ストッパー部材が前記ハウジングに着脱自在に保持されることにより実現した。
【００１８】
また、接続装置は、前記ストッパー部材を備え、検査治具は前記接続装置を備えていることにより実現する。
【実施例１】
【００１９】
以下、図面を参照して、本発明に係るストッパー部材、接続部材および検査治具について説明する。図１(Ａ)は、検査治具として検査対象物（接続相手）と接続装置とを接続している実施例１を示している。
【００２０】
図１(Ａ)を参照して検査治具は、基板１１と、検査対象物４１を基板１１に接続している接続装置１２と、基板１１に接続されているインターフェース用コネクタ５０を備えている。
【００２１】
図１(Ｂ)は、接続装置１２に用いる操作部材３２を示している。図１(Ｃ)は、接続装置１２に取り付けるストッパー部材６１を示している。ストッパー部材６１は、操作部材３２の回転を規制するために用いる。
【００２２】
図２乃至図７は、図１の接続装置１２に操作部材３２及操作部材３２の操作レバー部３２ａの回動を規制するストッパー部材３２を使用している。
【００２３】
図１（Ａ）乃至図７を参照して、接続装置１２は、インナーフレーム１７（図３及び図４を参照）と、インナーフレーム１７にスライド可能に保持されるプッシャー１９と、基板１１に保持されているハウジング２１と、ハウジング２１に保持されプッシャー１９を押圧操作する押圧部材２３とを有している。
【００２４】
さらに、接続装置１２は、検査対象物４１の挿入をガイドし位置決めするガイド部材２７と、押圧部材２３を回動可能となすようにハウジング２１及び押圧部材２３に軸支されているシャフト３１と、押圧部材２３を開閉可能となすようにハウジング２１及び押圧部材２３に間に設けられている操作部材３２とを有している。
【００２５】
押圧部材２３の開閉は、操作部材３２を用いて行われる。インナーフレーム１７は、ハウジング２１に組み込まれている。プッシャー１９は、検査対象物４１を接続装置１２に向かって押圧するように上下に移動可能にインナーフレーム１７に組み込まれている。
【００２６】
プッシャー１９は、図４及び図５に示すように、プッシャー押圧部１９ａを有している。プッシャー１９は、シャフト（図示せず）を介して押圧部材２３に揺動自在に保持される。押圧部材２３は、ハウジング２１上に位置している。
【００２７】
押圧部材２３は、スプリング（図示せず）により、常時開方向に付勢されている。また、プッシャー１９もスプリング（図示せず）により、図４で上方向に常時付勢されている。
【００２８】
ハウジング２１には、ハウジング２１の外側面に対向して位置している操作部材３２の操作レバー部３２ａから略直角に曲げられて形成されているカム部３２ｂを挿通するための一対のハウジング孔２１ａが形成されている。また、押圧部材２３の裏面には、ハウジング孔２１ａに挿通される操作部材３２の中間部分を挿通する操作孔（図示せず）が形成されている。操作部材３２は、ハウジング孔２１ａ及び操作孔を挿通して押圧部材２３をハウジング２１に対して回動可能に支持している。ガイド部材２７は、長手方向に形成されている挿入部２７ａを有している。
【００２９】
図６及び図７にも示したように、基板１１はプリント回路基板であり、接続装置１２によって洗濯鋏を摘む要領で検査対象物４１を鋏み、検査対象物４１をコネクタ１５へ押し付けるのみで基板１１と電気的に接続する。なお、基板１１の後方部分には、インターフェース用コネクタ５０が接続されている。
【００３０】
基板１１及びハウジング２１には、互いに対向する位置に複数のネジ孔（図示せず）が形成されている。基板１１及びハウジング２１は、複数のネジ３７,３７ａをネジ孔に螺合することによって基板１１を介して一体に固定されている。
【００３１】
図８は、接続装置１２内におけるコネクタ１５と、コネクタ１５の近傍の接続装置１２部分を断面し、拡大して示している。図９（Ａ）、図９（Ｂ）及び図９（Ｃ）は、コネクタ１５を示している。
【００３２】
図８及び図９（Ａ）〜図９（Ｃ）を参照して、コネクタ１５は、インナーフレーム１７に収納され、また、基板１１上に搭載されている。コネクタ１５の上に検査対象物４１が配置され、検査対象物４１はプッシャー１９によりコネクタ１５に押し付けられている。
【００３３】
コネクタ１５は、平坦な基材フィルム１５ａと、基材フィルム１５ａの両面に千鳥状に形成されている複数の弾性体１５ｂと、基材フィルム１５ａを両側から挟持する一対の絶縁板１５ｃと、基材フィルム１５ａ、各弾性体１５ｂ及び各絶縁板１５ｃに全体的に巻き付く導体フィルム１５ｄとから構成される。
【００３４】
導体フィルム１５ｄは、２つに折り曲げられている。導体フィルム１５ｄの表面には、多数の導体パターン１５ｆが一定のピッチで巻き付くように形成されている。
【００３５】
図８において、プッシャー１９が検査対象物４１の上面を押すと、検査対象物４１の下面に形成されている導体パターンの接点部４１ａはコネクタ１５の上面の導体パターン１５ｆの接点部に接触し、コネクタ１５の下面の導体パターン１５ｆの接点部１５ｆはプリント回路基板１１の上面に形成されているパッド１１ｃに接触する。なお、このようなコネクタ１５はフィルムコネクタと呼ばれている。
【００３６】
実施例１における検査治具では、コネクタ１５に接続する検査対象物４１としてＦＰＣ（フレキシブル・プリント・サーキット）を採用している。また、その他の検査対象物としては、ＦＦＣ（フレキシブル・フラット・ケーブル）を接続して検査するものがある。
【００３７】
接続装置１２は、プッシャー１９をプッシャー１９の押圧方向に操作部材３２によって押圧部材２３を押し下げている嵌合状態では、プッシャー１９のプッシャー押圧部１９ａが検査対象物４１とコネクタ１５とを押圧している。ハウジング２１に回動自在に保持されている操作部材３２は、操作レバー３２ａを操作することによってコネクタ１５が検査対象物４１と接続する。
【００３８】
さらに、ハウジング２１には、図１（Ｃ）及び図１０に示したストッパー部材６１が設けられている。ストッパー部材６１は、第１の板部６１ａと、第１の板部６１ａに対向している第２の板部６１ｂと、第１及び第２の板部６１ａ、６１ｂを一側で連結している連結板部６１ｃとからなる本体部を有している。
【００３９】
第１及び第２の板部６１ａ、６１ｂ、連結板部６１ｃは、これらを図１０の側面から見ると略逆コ字状になっている。第１の板部６１ａは、連結板部６１ｃから延びている自由端までの寸法が連結板部６１ｃから延びている第２の板部６１ｂの自由端までの寸法よりも長い寸法となっている。
【００４０】
第１の板部６１ａの自由端側には、円弧状に曲げられている第１の係止部６１ｍが形成されている。第２の板部６１ｂの自由端側は、連結板部６１ｃ側の板部分を曲げることによって第１の板部６１ａ側へ段落ちしかつ第１の板部６１ａと略平行になっている第２の係止部６１ｎが形成されている。即ち、第１及び第２の係止部６１ｍ、６１ｎは、第１及び第２の板部６１ａ、６１ｂ間側へ突出するように曲げられている。
【００４１】
第２の板部６１ｂの長手方向に平行な一対の辺の中間部分のそれぞれには、第２の板部６１ｂを直交する方向に曲げられかつ第１の板部６１ａ側へ延びている一対の当接部６１ｐ,６１ｒが形成されている。一方の当接部６１ｒは、操作レバー部３２ａの所定位置以上の回動を阻止するように、操作レバー部３２ａと当接する部分である。
【００４２】
ハウジング２１には、図１１にも示すように、側面近傍の底面２１ｇに被係止部２１ｍが形成されている装着部２１ｄを有する。被係止部２１ｍは、ハウジング２１の底部に形成された溝もしくは穴である。被係止部２１ｍには、第１の係止部６１ｍが係合されることによってハウジング２１からストッパー部材６１が抜け出ることを防止している。
【００４３】
ストッパー部材６１は、装着部２１ｄを挟み込むように挿入することによって、第１及び第２の板部６１ａ、６１ｂが装着部２１ｄを挟持し、かつストッパー部材６１がハウジング２１に着脱自在に保持される。
【００４４】
なお、ストッパー部材６１の第１の板部６１ａには、図１０に示したように、ネジ用の穴６２ａを形成してハウジング２１のネジ穴にネジ３７ａによって固定するようにしてもよい。
【００４５】
また、ストッパー部材６１は、操作レバー部３２ａが接続装置１２の両側面のいずれかに位置している場合においてもハウジング２１の両側面に形成されている装着部２１ｄに取り付けることができる。
【００４６】
ストッパー部材６１をハウジング２１の装着部２１ｄに取り付けるには、図１１に二点鎖線によって示したように、ストッパー部材６１の第１の係止部６１ｍ側の自由端及び第２の係止部６１の自由端をハウジング２１の側面から装着部２１ｄを挟むように押し込み挿入する。ストッパー部材６１は、金属板もしくは樹脂材によって作られているので、撓みながら装着部２１ｄへ挿着することができる。このとき、第１及び第２係止部６１ｍ，６１ｎは、ハウジング２１の上面２１ｆと底面２１ｇを挟み込みように挿入し、ストッパー部材６１の被係止部２１ｍと第１の係止部６１ｍとが係合し固定される。
【００４７】
なお、被係止部２１ｍと第１の係止部６１ｍとを係合させて仮固定とする場合には、ストッパー部材６１の第２の板部６１ｂのネジ用の穴６２ａを利用してハウジング２１のネジ孔にネジ３７ａを螺合して本固定とするようにしてもよい。
【００４８】
次に、検査対象物４１とコネクタ１５とを接続する作業について説明する。図２及び図３は、検査対象物４１とコネクタ１５とが接続した状態における操作レバー３２のレバー操作部３２ａの位置を実線により示しており、検査対象物４１とコネクタ１５とを接続する前の状態における操作レバー３２のレバー操作部３２ａの位置を二点鎖線により示している。なお、図２及び図３においては、検査対象物４１を省略している。
【００４９】
図４は、検査対象物４１とコネクタ１５とを接続する前の状態における操作レバー３２のレバー操作部３２ａの位置を示している。図５は、検査対象物４１とコネクタ１５とが接続した状態における操作レバー３２のレバー操作部３２ａの位置を示している。
【００５０】
図６及び図７は、検査対象物４１とコネクタ１５とが接続した状態における操作レバー３２のレバー操作部３２ａの位置を示しており、検査対象物４１の接続部分を示すために分離して示した。
【００５１】
検査対象物４１とコネクタ１５とを接続する前の状態では、操作レバー部３２ａが基板１１を交差する方向に位置し、ストッパー部材の当接部６１ｒに当接した位置で回転範囲が規制されている。
【００５２】
押圧部材２３は、操作部材３２の操作レバー部３２ａを一方の当接部６１ｒに当接している状態から基板１１に対して平行となる方向へ回転操作する前、即ち、プッシャー１９の上端が押圧部材２３の内面に当接している状態で、検査対象物４１をガイド部材２７に沿わせて挿入部２７ａへ挿入する。検査対象物４１を接続装置１２に挿入してコネクタ１５上に配置した後、操作レバー部３２ａを一方の当接部６１ｒに当接している状態から基板１１に対して平行となる方向へ回転操作する。すると、操作部材３２のカム部３２ｂの作用により押圧部材２３は、シャフト３１の軸部を支点として回転する。
【００５３】
したがって、プッシャー１９は、図５に示したように押圧部材２３により押し下げられて、検査対象物４１をコネクタ１５に押し付ける。このように、プッシャー１９の上下動は、操作部材３２と連動して可動する。
【００５４】
検査対象物４１の検査が終了した後は、操作部材３２の操作レバー部３２ａを基板１１に対して交差する方向へストッパー部材６１の当接部６１ｒに当接するまで回転させると、押圧部材２３が開方向へ回転し、コネクタ１５へのプッシャー１９の加圧が解除される。その後、検査対象物４１を抜く。
【００５５】
検査治具の開閉には、押圧部材２３を押し下げるのに操作レバー部３２ａを使用しているので、操作レバー部３２ａを回転するとプッシャー１９が下がるという区切りを付けられる。
【実施例２】
【００５６】
図１２は、図１０に示したストッパー部材６１の第２の係止部６１ｎにネジ３７ａを通すネジ穴（図示せず）を形成してハウジング２１の装着部２１ｄにストッパー部材６１を固定した状態を示している。なお、その他のハウジング２１及びストッパー部材６１の概観形状は、実施例１によって説明したハウジングと同じ形状である。
【実施例３】
【００５７】
図１３に示すストッパー部材１６１は、は、第１の板部１６１ａと、第１の板部１６１ａに対向している第２の板部１６１ｂと、第１及び第２の板部１６１ａ、１６１ｂを一側で連結している連結板部１６１ｃとを有している。
【００５８】
第２の板部１６１ｂの自由端側は、連結板部１６１ｃ側の板部分を曲げることによって第１の板部１６１ａ側へ段落ちしかつ第１の板部１６１ａと略平行になっている第２の係止部１６１ｎが形成されている。即ち、第２の係止部１６１ｎは、第１の板部１６１ａ側へ突出するように曲げられている。
【００５９】
第２の板部１６１ｂの長手方向に平行な一対の辺の中間部分のそれぞれには、第２の板部１６１ｂを直交する方向に曲げられかつ第１の板部１６１ａ側へ延びている当接部１６１ｒが形成されている。当接部１６１ｒは、操作レバー部１３２ａの所定位置以上の回動を阻止するように、操作レバー部１３２ａと当接する部分である。
【００６０】
即ち、ストッパー部材１６１は、図１０に示したストッパー部材６１の第１の係止部６１ｍがなく、連結部材１６１ｃから第１の板部１６１ａが延びている形状である。
【００６１】
ハウジング２１の装着部２１ｄには、ハウジング２１の側面から長溝２１ｔが形成されている。長溝２１ｔには、第１の板部１６１ａが圧入されることによってハウジング２１にストッパー部材１６１が固定されている。なお、その他のハウジング２１及びストッパー部材６１の概観形状は、実施例１によって説明したハウジング２１と同じ形状である。
【産業上の利用可能性】
【００６２】
本発明は、ＬＣＤ，ＣＣＤなどの点灯検査に用い、ＬＣＤ，ＣＣＤなどに接続されたフレキシブル基板もしくは剛性のプリント回路基板へ接続して検査を行う検査機器として使用する用途にも適用できる。
【図面の簡単な説明】
【００６３】
【図１】本発明の検査治具を示しており、(Ａ)は検査治具として検査対象物と接続装置とを接続している状態を示した斜視図、(Ｂ)は接続装置に用いる接続部材を示す斜視図、(Ｃ)は接続装置に取り付けるストッパー部材を示す斜視図である。
【図２】本発明に係る接続装置の実施例１を示す側面図である。
【図３】図２に示した接続装置の正面図である。
【図４】図２に示した接続装置の一部を断面して示した側断面図である。
【図５】図３に示した接続装置をIV-IV線で一部を断面して示した側断面図である。
【図６】図２に示した接続装置及び検査対象物を示した平面図である。
【図７】図２に示した接続装置及び検査対象物を示した裏面図である。
【図８】図５に示した接続装置の一部とコネクタとを拡大して示した断面図である。
【図９】図８に示したコネクタの諸図であり、（Ａ）は全体の斜視図、（Ｂ）は要部の拡大斜視図、（Ｃ）は拡大断面図をそれぞれ示す。
【図１０】図１に示したストッパー部材を拡大して示した斜視図である。
【図１１】図２に示したハウジングにストッパー部材を取り付ける状態を一部断面して示した側断面図である。
【図１２】図１１に示したハウジングに取り付けるストッパー部材の実施例２を示した断面図である。
【図１３】ハウジング及びハウジングに取り付けるストッパー部材の実施例３を示した断面図である。
【符号の説明】
【００６４】
１１    基板
１２    接続装置
１５    コネクタ
１７    インナーフレーム
１９    プッシャー
１９ａ    プッシャー押圧部
２１    ハウジング
２１ｍ    被係止部
２１ｄ    装着部
２１ｔ    長溝
２３    押圧部材
２７    ガイド部材
３１    シャフト
３２    操作部材
３２ａ  操作レバー部
３２ｂ  カム部
３７，３７ａ    ネジ
４１    検査対象物
６１,１６１    ストッパー部材
６１ａ、１６１ａ    第１の板部
６１ｂ，１６１ｂ    第２の板部
６１ｃ，１６１ｃ    連結板部
６１ｍ    第１の係止部
６１ｎ，１６１ｎ    第２の係止部
６１ｐ,６１ｒ，１６１ｒ    当接部
６２ａ    ネジ用の穴
【図１】
2007299605.tif 000003
【図２】
2007299605.tif 000004
【図３】
2007299605.tif 000005
【図４】
2007299605.tif 000006
【図５】
2007299605.tif 000007
【図６】
2007299605.tif 000008
【図７】
2007299605.tif 000009
【図８】
2007299605.tif 000010
【図９】
2007299605.tif 000011
【図１０】
2007299605.tif 000012
【図１１】
2007299605.tif 000013
【図１２】
2007299605.tif 000014
【図１３】
2007299605.tif 000015
【手続補正書】
【提出日】平成18年10月17日(2006.10.17)
【手続補正１】
【補正対象書類名】明細書
【補正対象項目名】００２７
【補正方法】変更
【補正の内容】
【００２７】
押圧部材２３は、スプリング（図示せず）により、常時閉方向に付勢されている。また、プッシャー１９もスプリング（図示せず）により、図４で下方向に常時付勢されている。
【手続補正２】
【補正対象書類名】明細書
【補正対象項目名】００５９
【補正方法】変更
【補正の内容】
【００５９】
第２の板部１６１ｂの長手方向に平行な一対の辺の中間部分のそれぞれには、第２の板部１６１ｂを直交する方向に曲げられかつ第１の板部１６１ａ側へ延びている当接部１６１ｒが形成されている。当接部１６１ｒは、操作レバー部３２ａの所定位置以上の回動を阻止するように、操作レバー部３２ａと当接する部分である。